(57)【特許請求の範囲】
【請求項１】
戸口に関連した開位置と閉位置との間を移動可能な可撓性ドアパネルであって、
第１のシートと、
当該可撓性ドアパネルが前記閉位置にあるときに前記第１のシートと略平行である第２のシートと、
当該可撓性ドアパネル内に複数の空気チャンバを形成するように、前記第１のシートと前記第２のシートとの間に延在する複数のバッフルであって、前記複数のバッフルのうち第１のバッフルが、前記第１のシートおよび前記第２のシートに対してある角度にて配置された中央部を含み、前記ある角度が、当該可撓性ドアパネルが前記閉位置にあるときに９０度以外の角度である、複数のバッフルと、
前記複数のチャンバのうち２個の隣接したチャンバ内に挿入され、前記第１のバッフルによって分離された第１および第２の断熱体であって、当該可撓性ドアパネルが前記閉位置にあるときに、前記第１のシートおよび前記第２のシートに対して垂直な方向において少なくとも一部が重なり合っている第１および第２の断熱体と、を備える、可撓性ドアパネル。
【請求項２】
前記複数のバッフルの各バッフルが、第１の縁部と、第２の縁部と、これらの縁部の間に延在する中央部とを備え、当該可撓性ドアパネルが前記閉位置にあるときに、前記第１の縁部および前記第２の縁部が、互いに略平行となるようになっており、前記第１の縁部が、前記第１のシートにぴったりと接合され、前記第２の縁部が、前記第２のシートにぴったりと接合されている、請求項１に記載の可撓性ドアパネル。
【請求項３】
前記第１の縁部は、当該可撓性ドアパネルが前記閉位置にあるときに、前記第２の縁部よりも高い位置にある、請求項２に記載の可撓性ドアパネル。
【請求項４】
前記第１のバッフルの前記中央部が、略Ｕ字形状断面の幾何学的構造を有する、請求項１に記載の可撓性ドアパネル。
【請求項５】
戸口のためのドアであって、
前記戸口に関連した開位置と閉位置との間を移動可能な可撓性ドアパネルであって、第１のシートと、前記ドアが前記閉位置にあるときに前記第１のシートと略平行である第２のシートと、前記可撓性ドアパネル内に複数のチャンバを形成するように前記第１のシートと前記第２のシートとの間に延在する複数のバッフルとを含む可撓性ドアパネルと、
マンドレルであって、前記ドアが開閉されるときに、該マンドレルを中心にして前記可撓性ドアパネルが屈曲し、前記複数のバッフルのうち第１のバッフルが、前記第１のシートおよび前記第２のシートに対してある角度にて配置された中央部を含み、前記ある角度が、前記可撓性ドアパネルが前記閉位置にあるときに９０度以外の角度である、マンドレルと、
前記複数のチャンバのうち２個の隣接したチャンバ内に挿入され、前記第１のバッフルによって分離された第１および第２の断熱体であって、当該可撓性ドアパネルが前記閉位置にあるときに、前記第１のシートおよび前記第２のシートに対して垂直な方向において少なくとも一部が重なり合っている第１および第２の断熱体と、を備える、ドア。
【請求項６】
前記複数のバッフルの各バッフルが、第１の縁部と、第２の縁部と、これらの間に延在する中央部とを備え、前記可撓性ドアパネルが前記閉位置にあるときに、前記第１の縁部および前記第２の縁部が、互いに略平行となるようになっており、前記第１の縁部が、前記第１のシートに接合され、前記第２の縁部が、前記第２のシートに接合されている、請求項５に記載のドア。
【請求項７】
前記第１の縁部は、前記可撓性ドアパネルが前記閉位置にあるときに、前記第２の縁部から長手方向に離間されている、請求項６に記載のドア。
【請求項８】
前記第１のバッフルの前記中央部が、略Ｕ字形状断面の幾何学的構造を有する、請求項５に記載のドア。
【請求項９】
戸口のためのドアであって、
前記戸口に関連した開位置と閉位置との間を移動可能な可撓性ドアパネルであって、第１のシートと、前記ドアが前記閉位置にあるときに前記第１のシートと略平行である第２のシートと、前記可撓性ドアパネル内に複数の空気チャンバを形成するように前記第１のシートと前記第２のシートとの間に延在する複数のバッフルとを含む可撓性ドアパネルと、
マンドレルであって、前記ドアが開閉されるときに、該マンドレルを中心にして前記可撓性ドアパネルが屈曲するマンドレルと、
前記第１のシートと前記第２のシートとの間に介挿された第１の断熱材のパッドおよび第２の断熱材のパッドとを備え、
前記第１の断熱材のパッドが、前記第１のシートおよび前記第２のシートの双方と接触しており、前記第２の断熱材のパッドが、前記第１のシートおよび前記第２のシートの双方と接触しており、前記複数のバッフルの少なくとも１つが、前記第１の断熱材のパッドと、前記第２の断熱材のパッドとの間に介挿されており、前記第１の断熱材のパッドは、前記可撓性ドアパネルが前記閉位置にあるときに、前記第２の断熱材のパッドよりも高い位置にあり、前記第１の断熱材のパッドが、最下部を有し、前記第２の断熱材のパッドが、最上部を有し、前記第２の断熱材のパッドの該最上部は、前記可撓性ドアパネルが前記閉位置にあるときに、前記第１の断熱材のパッドの前記最下部よりも高い位置にある、ドア。
【請求項１０】
戸口に関連した開位置と閉位置との間を移動可能な可撓性ドアパネルであって、
第１のシートと、
当該可撓性ドアパネルが前記閉位置にあるときに前記第１のシートと略平行である第２のシートと、
前記第１のシートと前記第２のシートとの間に延在する第１のバッフルと、
前記第１のシートと前記第２のシートとの間に延在し、第１の空間を形成する第２のバッフルと、
前記第１のシートと前記第２のシートとの間に延在し、第２の空間を形成する第３のバッフルと、
前記第１のバッフルと前記第２のバッフルとの間に配置された第１の断熱パッドと、
前記第２のバッフルと前記第３のバッフルとの間に配置された第２の断熱パッドと、
を備え、
前記第１の断熱パッドおよび前記第２の断熱パッドは、前記可撓性ドアパネルが前記閉位置にあるときに、前記第１のシートおよび前記第２のシートに対して垂直な方向において少なくとも一部が重なり合っている、可撓性ドアパネル。
【請求項１１】
前記第１のバッフルが、第１の縁部と、第２の縁部と、これらの間に延在する中央部とを含み、当該可撓性ドアパネルが前記閉位置にあるときに、前記第１の縁部および前記第２の縁部が、互いに略平行となるようになっており、前記第１の縁部が、前記第１のシートにぴったりと接合され、前記第２の縁部が、前記第２のシートにぴったりと接合されている、請求項１０に記載の可撓性ドアパネル。
【請求項１２】
前記第１の縁部は、当該可撓性ドアパネルが前記閉位置にあるときに、前記第２の縁部よりも高い位置にある、請求項１１に記載の可撓性ドアパネル。
【請求項１３】
前記第１のバッフルの前記中央部が、略Ｕ字形状断面の幾何学的構造を有する、請求項１１に記載の可撓性ドアパネル。
【発明の詳細な説明】
【技術分野】
【０００１】
[0001]本発明は、断熱ドアに関し、より具体的には、断熱カーテンなどの可撓性パネルを含むドアに関する。
【背景技術】
【０００２】
[0002]冷蔵室は、一般に生鮮食品を貯蔵するために使用される、建物内の冷蔵機能を備えた場所である。冷蔵室は、一般に、フォークリフトおよび他の資材運搬機器が進入できるほどの十分な大きさがある。冷蔵室へのアクセス手段は、多くの場合、建物の他の部分から冷蔵室を分離する動力駆動される（ｐｏｗｅｒ  ａｃｔｕａｔｅｄ）断熱ドアを通過することである。冷蔵室への入室または退室の際の熱損失を最小限に抑えるために、上記ドアは、可能な限り迅速に開閉されることが好ましい。
【０００３】
[0003]垂直方向に動作する巻上げ式のドア、および、可撓性カーテンを有する同様のドアは、おそらく、利用可能な、最も高速に動作するドアの一種である。このようなドアが開くとき、そのカーテンは、通常、戸口の前のその閉位置から、頭上格納トラックまたは巻取りローラにおけるその開位置まで移動する際に屈曲させられる。
【０００４】
[0004]このような屈曲は、カーテンが比較的薄い場合は、問題とならない。しかしながら、断熱カーテンは、断熱材の厚さが必要とされるため、同様に屈曲させることができない。巻取りローラまたは湾曲したトラック（軌道）が、厚いカーテンを屈曲させるとき、カーテンの互いに対向する面の間に、相対変形（ｒｅｌａｔｉｖｅ  ｔｒａｎｓｌａｔｉｏｎ）が生じる場合がある。このような変形に対応できる厚い断熱カーテンを設計することは、課題である。
【０００５】
[0005]さらに、断熱カーテンが屈曲する箇所である水平線に沿って、断熱カーテンが、一時的に折り目を付けられるか、または、局所的に圧縮される場合、このような折り目または圧縮によって、カーテン内に空気が閉じ込められてポケットが形成される場合があり、また、このような閉じ込められた空気は、カーテンを膨張させ、ドアの動作に悪影響を与える可能性がある。
【図面の簡単な説明】
【０００６】
【図１】閉位置にある例示的なドアを示す正面図である。
【図２】図１と同様の正面図であるが、部分的に開いた例示的なドアを示している。
【図３】図１および図２と同様の正面図であるが、開位置にある例示的なドアを示している。
【図４】図３の線４−４における断面図である。
【図５】パネルの外側シートの左下の部分を切り取った状態の、図１から図３の例示的なドアパネルの正面図である。
【図６】図５の線６−６における断面図である。
【図７】図６と同様の断面図であるが、例示的なバッフルの１つをより明瞭に示すために断熱材が省略された断面図である。
【図８】図５の線８−８における断面図である。
【図９】図８と同様の断面図であるが、組立て中の例示的なドアパネルを示している。
【図１０】図８と同様の断面図である。
【図１１】図８と同様の断面図であるが、別の例示的なドアパネルを示している。
【図１２】図８と同様の断面図であるが、別の例示的なドアパネルを示している。
【図１３】図８と同様の断面図であるが、別の例示的なドアパネルを示している。
【図１４】図８と同様の断面図であるが、別の例示的なドアパネルを示している。
【発明を実施するための形態】
【０００７】
[0020]特定のいくつかの例が、先に確認した図に示されている。以下、これらの特定の例について、詳細に説明する。これらの例について記載する際に、同様の参照符号または同一の参照符号が、同一の部品または同様の部品を識別するために使用されている。図面は、必ずしも一定の縮尺になっているわけではなく、また、図面に見られる特定の特徴および特定の図は、明確性および／または簡潔性のために、縮尺的または図式的に誇張されて示されている場合がある。さらに、本明細書の全体を通じて、複数の例が説明されている。任意の例における任意の特徴は、他の例における他の特徴と共に含まれ得るか、これと置き換えられ得るか、または、そうでなければこれと組み合わされ得る。
【０００８】
[0021]図１から図４は、可撓性の断熱ドアパネル１２内の望ましくない空気圧状態に対処するための手段を有する可撓性の断熱ドアパネル１２を含む垂直方向に動作するドア１０を示している。ドア１０は、図１では閉じた状態で、図２では部分的に開いた状態で、図３および図４では完全に開いた状態で示されている。ドア１０が、戸口１４を開閉するとき、ドアパネル１２は、マンドレル１６上で屈曲する。このことは、本明細書に記載されている例示的な方法および装置によって対処される空気圧の問題の一因になっている。マンドレル１６は、戸口１４の幅方向に渡って延在する固定バーまたはローラであってもよい。特定の二重屈曲式の格納構成を有するドアパネル１２が示されているが、巻上げ式の（ｃｏｉｌｅｄ）格納構成、巻取りチューブ上に巻き付ける格納構成、水平方向に１度屈曲させる格納構成、蛇行格納構成、垂直平面（ｖｅｒｔｉｃａｌｌｙ  ｐｌａｎａｒ）格納構成など、他の格納構成もすべて同様に、本開示の範囲内に含まれる。ドア１０は、特に冷蔵室に適している。しかしながら、ドア１０は、任意の他の所望の用途にも適用され得る。
【０００９】
[0022]ドアパネル１２自体を除いて、ドア１０の構造、動作、および他の詳細については、その全体が参照により本明細書に組み込まれる米国特許出願公開第２００８／０１１０５８０号明細書に記載され、示されている。一般に、動力駆動（ｐｏｗｅｒｅｄ  ｄｒｉｖｅ）スプロケット１８（図４）は、ドアパネル１２の各側縁部にあるコグ付細片（ｃｏｇｇｅｄ  ｓｔｒｉｐ）２０と係合して、下部ガイドトラック２２（この位置にある場合、ドアパネル１２は、戸口１４を遮断する）と、上部トラック２４（この位置にある場合、ドアパネル１２は戸口を開放する）との間でドアパネル１２を移動させる。しかしながら、ドアパネル１２は、異なる駆動構成または格納構成と共に動作する様々な他のタイプのドアに適用され得ることに留意すべきである。それぞれの場合に、ドアパネルの厚さは、ドアパネル内に閉じ込められた空気およびパネルの屈曲と相まって、閉じ込められた空気をして、ドアが開かれるときにカーテンまたはパネルの底部を膨らませる場合がある。
【００１０】
[0023]さらに、米国特許出願公開第２００８／０１１０５８０号明細書は、断熱ドアパネルに排気送風機を備え付ける利点について説明している。しかしながら、この公開出願と異なり、本明細書に記載されている例示的な装置は、上記の送風機およびこれに関連するハードウェアを用いることなく、ドアパネル１２を好適に使用することを可能とする。
【００１１】
[0024]排気送風機を使用する代わりに、ドアパネル１２は、ドアパネル１２の第１のシート２８と第２のシート３０との間に含まれる空気の再配分を制限する複数の柔軟なバッフル２６を含む。シート２８および３０が、外側周辺部に沿って接合され、また一般に封止されることによって、シート２８および３０間に、１つの大きな全体的な空気チャンバ３２が、形成されている。バッフル２６によって、チャンバ３２は、より扱いやすく、より小さな複数のチャンバ３４に分割されている。明瞭に例示するために、図５では、バッフル２６ならびにチャンバ３２および３４は、ドアパネル１２の全幅４０にわずかに及ばずに延在するものとして示されている。しかしながら、バッフル２６ならびにチャンバ３２および３４は、図５に描かれているようなドアパネル１２の全幅に渡って延在することが好ましい。ドア１０が開いて、シート２８および３０に（例えば、ドアパネル１２がマンドレル１６上で屈曲する箇所に）水平の折り目が形成されるとき、バッフル２６は、チャンバ３２内に閉じ込められた空気が、ドアパネル１２の下端部を過度に膨張させることの抑制および／または防止に役立つ。このように、バッフル２６は、マンドレル１６とドアパネル１２の下部前縁部３６との間の領域が、ドア１０の開かれるときに過度に膨張することを制限するか、または、あまつさえ防止する。
【００１２】
[0025]大きなチャンバ３２を、より小さな、より扱いやすいチャンバ３４に分割することは、ドアパネル１２内に閉じ込められた空気によって引き起こされる問題の解決に役立つ一方で、この目的のために使用されるバッフル２６は、他の望ましい特性を有し得る。例えば、バッフル２６は、ドアパネル１２がマンドレル１６上で屈曲する際の、シート２８および３０間のいくらかの相対変形に対応するほどに、十分可撓性であってもよい。さらに、バッフル２６の可撓性によって、何かが偶然ドアに衝突した場合に、ドアパネル１２が、復元可能に切り離される（ｂｒｅａｋ  ａｗａｙ）ことが可能になっていてもよい。さらに、または、あるいは、バッフル２６は、チャンバ３４間の漏れまたは空気交換が最小限となるように、シート２８および３０の側縁部または垂直方向の継目３３と適合的に結合するほどに、十分可撓性であってもよい。さらに、例によっては、バッフル２６は、シート２８および３０間の所望の間隔を維持するために十分堅いことが好ましい。特に、このような間隔を維持するために、断熱材が使用されない例において、このことは好ましい。またさらに、例によっては、バッフル２６は、一般にシート２８および３０以下の熱伝導性を有することが好ましい。チャンバ３４内の断熱材によって高められた、空気のＲ値は、ドアパネル１２への霜着きを抑制するか、または、あまつさえ防止するのに十分であってもよい。しかしながら、バッフル２６が、比較的高い熱伝導性を有する場合、霜の線（ｆｒｏｓｔ  ｌｉｎｅ）が、シート２８または３０上の、バッフル２６とシート２８または３０との接合箇所に形成される可能性がある。
【００１３】
[0026]ドアパネル１２の実際の構造は、異なっていてもよいが、図示した例は、任意の適切な高分子または天然の織物材料（ｆａｂｒｉｃ  ｍａｔｅｒｉａｌ）から作製されているシート２８および３０を有する。なお、シート２８および３０は、柔軟であることが好ましく、また、これらは、接着剤、テープ、溶融／融合／溶接、縫合、マジックテープ、スナップ、リベット、ジッパーなどによって、それらの外側周辺部に沿って互いに接合されてもよい。ドアパネル１２の継目３３および上縁部および下縁部を含む、外側周辺部のほぼ全体は、チャンバ３２への／からの相当量の空気の流入／流出を抑制するか、または、あまつさえ防止するために、封止されることが好ましい。湿り空気が、チャンバ３２に繰り返し進入することを抑止することによって、カビを繁殖させる（ｍｏｌｄ−ｐｒｏｍｏｔｉｎｇ）湿気が、例えば冷蔵室に面するパネルシートのチャンバ３２内で結露することが、抑制されるか、または、あまつさえ防止される。
【００１４】
[0027]バッフル２６は、シート２８および３０と同様の材料、または、これらと異なる材料から作製されてもよい。シート２８および３０の可撓性により、ドアパネル１２が、マンドレル１６上で屈曲することが可能となり、一方、バッフル２６の可撓性により、ドア１０が開閉される際の、シート２８および３０間の限定された相対変形が可能となっている。ドア１０が開閉され、ドアパネル１２が、マンドレル１６を横切って移動し、屈曲するとき、この動作は、シート２８および３０間の垂直方向の相対変形を引き起こす。多孔質発泡体パッドまたはポリエステルマットなどの断熱材または断熱パッド３８が、チャンバ３４内に配されることが好ましい。
【００１５】
[0028]図示した例では、バッフル２６は、水平方向に伸長しており、これによって、バッフル２６は、ドアパネル１２内の垂直方向の空気の流れを制限するだけでなく、シート２８および３０間の垂直方向の相対変形に対応することもできるようになっている。他の例では、ドアパネル１２に、垂直方向に伸長したバッフル、または、垂直バッフルおよび水平バッフルの組合せが備え付けられる。
【００１６】
[0029]ドアパネル１２内の空気の流れを効果的に制限するために、水平方向に伸長したバッフル２６が、ドアパネル１２の全幅４０の少なくとも大部分に渡って延在していることが好ましい。しかしながら、製造を容易にするために、バッフル２６は、パネルの全幅４０よりもわずかに短い長さに作製されてもよい。これにより、シート２８および３０の側方の垂直縁部を互いに接合することが、より簡単になる。ドアパネル１２の全幅４０よりもわずかに短いバッフル２６は、複数の空気チャンバ３４を互いに流体連通した状態に置く。したがって、ドア１０が開いて、ドアパネル１２が、マンドレル１６を横切って移動するとき、ドアパネル１２内の多少の空気が、複数のチャンバ３４のなかのより下方のチャンバ（例えば、空気チャンバ３４’）の少なくとも１つに一時的に再配分され、これにより、チャンバ３４’内の空気圧は、一時的にわずかに高くなるものの、実際に有害となるほどには高くならない。
【００１７】
[0030]ドアパネル１２は、複数の異なる方法によって製造され得るが、図９は、１つの例示的な製造方法を示している。バッフル２６のそれぞれの一方の水平な縁部が、第１のシート２８と溶融されるか、または、超音波溶接され、これにより、シート２８とバッフル２６のそれぞれとの複数の融合接合部４２が形成される。バッフル２６をシート２８および３０の少なくとも一方と融合させることが、図９の参照符号４４の区画によって概略的に描かれている。バッフル２６を適切な位置に取り付ける代わりの方法として、ボンディング、テーピング、縫合、マジックテープによる固定、リベット結合などが挙げられるが、これらに限定されるわけではない。
【００１８】
[0031]シート２８の外側周辺部は、図９の参照符号４６の区画によって概略的に描かれているように、シート３０と融合されるか、これと縫合されるか、または、そうでなければこれと接合される。複数のバッフル２６は、矢印４８によって概略的に描かれているように、シート２８および３０間に配され、断熱材３８は、矢印５０によって概略的に描かれているように、チャンバ３４内に配される。参照符号４４の区画ならびに矢印４８および５０によって示されている例示的な方法は、一般に同時に、ドアパネル１２の一端から他端に向かって漸進的に行われてもよいし、または、任意の他の適切な順番で行われてもよい。図９は、例えば、ドアパネル１２が、底部から上に向かって漸進的に組み立てられている様子を示している。
【００１９】
[0032]先に注意したように、冷蔵室へのアクセス手段を提供するドアに必要なのは、ドアが、熱損失を低減し、好ましくは最小限に抑え、これによってさらに、ドア上の結露の形成を抑制するか、または、防止することである。この要件は、冷蔵室への人の入退室時に極めて迅速に開閉されて、熱損失を低減し、好ましくは最小限に抑えるドア、ならびに、ドアの閉鎖時に十分に断熱されて、熱損失（および結露の形成）を低減するか、または、あまつさえ防止するドアを提供することによって、達成することができる。しかしながら、これらの解決策（高速動作するドア、および、十分に断熱されたドア）は、一般に、互いに相反する特徴を有する。例えば、可撓性の、垂直方向に動作するドアまたはカーテンは、利用可能な、最も高速に動作するドアの一種であるが、これらのドアまたはカーテンは、ドアがその閉位置と開位置との間を移動するときに、一般に屈曲するか、または、湾曲しなければならない（例えば、マンドレルを中心にして）。十分に断熱されたドアには、一般に、厚く重い、高Ｒ値の断熱材が詰め込まれているが、このタイプの断熱材は、迅速に移動させることが困難であり、十分に屈曲せず、また、エアポケットがカーテンまたはドア内に閉じ込められ得る場合がある。したがって、速く移動する、可撓性の、垂直方向に動作するドアであって、ドア上の結露の形成を抑制するか、または、あまつさえ防止するのに十分なＲ値を有しながらも、カーテンまたはドア内に相当量の空気を閉じ込めることなく、屈曲し、移動することのできるドアを提供することが、望ましい。
【００２０】
[0033]大きなチャンバ３２を、より小さな、より扱いやすいチャンバ３４に分割するためにバッフル２６を使用することが、大きなドアパネル１２内に閉じ込められる空気によって引き起こされる問題の解決に役立つ一方で、これらのより小さな、より扱いやすいチャンバ３４内により小さな断熱パッド３８を利用することには、それ自体の課題がある。例えば、経時的に、断熱パッド３８は、重力の作用ならびに／またはドアの開閉に付随して繰り返し行われる屈曲および収縮によって、沈下する（ｓａｇ）か、または、沈降し（ｓｌｏｕｃｈ）始める可能性がある。断熱パッド３８が、図１０に示されているように、沈下するか、または、沈降するとき、断熱パッドは、もはや、バッフル２６間に形成された空間（基準バッフル間隔（ｎｏｍｉｎａｌ  ｂａｆｆｌｅ  ｓｐａｃｉｎｇ）９０）の全体に及んでおらず、この結果、エアギャップ９２またはエアポケット９２が、チャンバ３４内の、断熱パッド３８の上方に形成される。基準バッフル間隔という用語は、第１のバッフルの領域の中心または幾何学的中心と、隣接する第２のバッフルの領域の中心または幾何学的中心との間の距離を指示している。基準バッフル間隔は、ドアパネルの全体に渡って等しくなくてもよい。エアギャップまたはエアポケット９２は問題である。なぜなら、これらは、ドア内にＲ値の低下した領域を形成し、これにより、熱損失の増加（このことは、多くの場合、シート２８または３０上に結露（例えば、霜）（エアギャップまたはエアポケット９２がシート２８および３０間に連続した（遮断されていない）経路を形成する場所において特に酷い可能性のある現象）が形成される原因となる）を可能とするからである。したがって、互いに隣接する断熱パッド３８間に生み出され得るエアギャップ９２を縮小するか、または、あまつさえ除去し、これにより、ドアの全体に渡って、シート２８または３０上の結露の形成を抑制するか、または、あまつさえ防止するのに十分なＲ値を維持することが望ましい。
【００２１】
[0034]互いに隣接する断熱パッド３８間にエアギャップまたはエアポケットが形成されることを抑制するか、または、あまつさえ防止するための方法は、チャンバ３４内に、サイズを大きくした断熱パッド３８をパッキングすること、または、詰め込むこと（ｊａｍｍｉｎｇ）を含んでもよい。この場合、断熱パッド３８のサイズは、基準バッフル間隔よりも高くすることによって、大きくされている。この方法は、エアギャップの形成を抑制するか、または、あまつさえ防止することに有効であり得る一方で、より小さなチャンバ３４内に、大きくて、幅の広い断熱パッド３８をパックするか、または、詰め込むことが困難である場合があり、また、圧縮された断熱パッドによって加えられる力によって、図９のようにドアを組み立てることが困難である場合がある。
【００２２】
[0035]チャンバ３４内に断熱パッド３８を組み込む例が、図１１に示されている。この場合、ドアパネル１１２（パネル１２と同様の）は、独特の断面形状を有するバッフル１２６を含む。このバッフル１２６は、互いに隣接する断熱パッド１３８’が、シート２８または３０上に結露が形成されることを抑制するか、または、あまつさえ防止するのに十分なＲ値が得られるように、互いに重なり合うことを可能とする。この例では、バッフル１２６のそれぞれが、シート２８と接合および／または結合された第１の縁部１５２と、シート３０と接合および／または結合された第２の縁部１５４と、第１の中央部７０と、第２の中央部７２と、第３の中央部７４とを備える。なお、これらの中央部は、縁部１５２および１５４間に延在しており、第１の中央部７０および第３の中央部７４は、シート２８および３０に対して垂直かつ平行ではない。第１の中央部７０および第３の中央部７４は、互いに略平行ありつつ、シート３０に対して角度１５８にある。例によっては、角度１５８は、約４５度である。第２の中央部７２は、シート２８および３０と略平行であってもよい。中央部１０、７２、７４とシート２８および３０との特定の角度関係は、中央部７０または７４の少なくとも一方が、シート２８および３０に対して垂直でない限りは、それほど重要ではない。
【００２３】
[0036]互いに隣接するバッフル１２６は、断熱パッド１３８の有効高さ１９４より小さい基準バッフル間隔１９０を形成する。この結果、断熱パッド１３８は、互いに重なり合いながらも、シート２８および３０内にパックされ、これにより、エアギャップまたはエアポケットの形成が、抑制されるか、または、あまつさえ防止され、パネル１１２を介する熱伝達が、効果的に抑制される。基準バッフル間隔という用語は、第１のバッフルの領域の中心または幾何学的中心と、隣接する第２のバッフルの領域の中心または幾何学的中心との間の距離を指示している。基準バッフル間隔９０’は、ドアパネルの全体に渡って等しくなくてもよい。断熱パッド１３８の有効高さ１９４は、断熱パッドの最上点と、断熱パッドの最下点との間の距離である。図１１は、例えば、第１のパッド１３８の最下縁部または最下部１６０が、第２のパッド１３８の最上縁部または最上部１６２よりも低い位置にあり、第１のパッド１３８が、第２のパッド３８よりも高い位置にあり、および／または、第２のパッド３８から長手方向に離間されていることを示している。断熱パッド１３８は、多孔質発泡体パッド、ポリエステルマット、または比較的高いＲ値を有する他の可撓性材料から構成されてもよい。例によっては、断熱パッド１３８のＲ値は、約２〜８であってもよい。例によっては、断熱パッド１３８のＲ値は、約４であってもよい。バッフル１２６の断面形状、および、互いに隣接する断熱パッド１３８が重なり合った構成によって、Ｒ値の低いエアギャップまたはエアポケットが形成されることが、抑制されるか、または、あまつさえ防止される。これにより、ドアパネルを介する熱伝達が抑制され、シート２８または３０上の結露の形成が、抑制されるか、または、あまつさえ防止される。一方、図１１の例示的なドアパネル１１２は、互いに隣接する断熱パネルが重なり合った領域に膨張部を含んでもよい。ただし、このような膨張部は、特定の用途では、望ましくない場合がある。
【００２４】
[0037]図１２は、ドアパネル１１２と同様の例示的なドアパネル２１２を示しているが、図１１の例示的なドアパネル１１２の代替案を示している。カーテンまたはドア内に空気が過度に閉じ込められることなく、ドアパネル２１２が、移動し、屈曲することを可能としながらも、ドアパネル２１２の全体に渡って（互いに隣接する断熱パッド２３８間においてさえも）均一なＲ値を確保することを補助するために、ドアパネル２１２は、図１１のドアパネル１１２に存在する潜在的に望ましくない膨張部を有することなく、互いに隣接する断熱パッドが効果的に重なり合うことを可能とする、断面の幾何学的形状を有する、サイズを大きくした断熱パッド２３８を含む。断熱パッド２３８のサイズは、断熱パッド２３８が、基準バッフル間隔９０’を上回る有効高さ９４を有するように、大きくされている。基準バッフル間隔という用語は、第１のバッフルの領域の中心または幾何学的中心と、隣接する第２のバッフルの領域の中心または幾何学的中心との間の距離を指示している。基準バッフル間隔９０’は、ドアパネルの全体に渡って等しくなくてもよい。断熱パッド２３８の有効高さ９４は、断熱パッドの最上点と、断熱パッドの最下点との間の距離である。さらに、ドアパネル２１２は、エアギャップの形成を抑制するか、または、あまつさえ防止するように、および、ドアパネル２１２を介する、特に、バッフル２２６がシート２８および３０と接合された場所を介する熱伝達を抑制するように構成された、断熱材のパッド２３８およびバッフル２２６を含む。この例では、バッフル２２６のそれぞれは、シート２８と接合および／または結合された第１の縁部５２と、シート３０と接合および／または結合された第２の縁部５４と、縁部５２および５４間に延在する中央部５６とを備える。中央部５６は、シート２８および３０に対して垂直にも、平行にもならないよう、シート２８および３０に対して角度５８にある。例によっては、角度５８は、約４５度である。ドアパネル２１２は、その閉位置（図１の場合のように）にある状態で示されているが、バッフル２２６は、ドアパネル２１２がその開位置と閉位置との間を移動するときに、シート２８および３０に対して屈折するか、または、そうでなければ移動するほどに、十分可撓性である。
【００２５】
[0038]断熱材の互いに隣接するパッド２３８が互いに重なり合い、このことが、エアギャップの形成を抑制するか、または、あまつさえ防止すること、および、さらにドアパネル２１２を介する熱伝達を抑制すること（これにより、シート２８または３０上の結露の形成が、抑制されるか、または、あまつさえ防止される）に役立つように、断熱材のパッド２３８が形作られることを、ある角度をとるバッフル２２６は可能とする。図１２は、例えば、第１のパッド２３８の最下縁部または最下部６０が、第２のパッド２３８の最上縁部または最上部６２よりも低い位置にあり、この場合、第１のパッド２３８が、第２のパッド２３８よりも高い位置にあり、および／または、第２のパッド２３８から離間されていることを示している。断熱パッド２３８の例として、多孔質発泡体パッドおよびポリエステルマットが挙げられるが、これらに限定されるわけではない。断熱パッド２３８は、縁部が角度５８と実質的に同じ角度を有するように、切断されてもよい。あるいは、断熱パッド２３８は、図１２の重なり合った状態にパックされるほどに十分柔軟である。なお、角度の付いたバッフル２２６が、重なり合った領域を顕著に膨張させることなく、このことが行われることを可能としている。
【００２６】
[0039]バッフルを、ドアのシート２８および３０に対して、正確に垂直でない角度に配置することは、互いに隣接する断熱パッドがドアパネルを介する熱伝達を抑制し、ならびに、シート２８または３０上の結露の形成を抑制および／または防止するように互いに重なり合うことを、上記角度が可能とする限りは、それほど重要ではない。図１３は、例示的なドアパネル３１２を示している。ドアパネル３１２は、すべてのバッフルが、シート２８および３０に対して同じ角度関係を有しているわけではない点を除いて、ドアパネル２１２と同様である。また、角度３５８は、角度２５８と同じであってもよいし、または、角度２５８と異なっていてもよい。図示されているように、ドアパネル３１２の高さの全体に渡って繰り返すことのできる交互するパターンで、バッフル３２６’は、バッフル３２６に対して略垂直となっている。バッフル３２６および３２６’とシート２８および３０との間の特定の角度関係にかかわらず、互いに隣接するバッフル３２６および３２６’は、断熱パッド３３８の有効高さ９４’よりも小さい基準バッフル間隔９０’’を形成している。これにより、第１の断熱パッド３３８の最上部３６２が、該第１の断熱パッドの上方に配置される隣接する断熱パッド３３８の最下部３６０よりも高い位置にあり、および／または、該最下部３６０から離間されるように、互いに隣接する断熱パッドが重なり合うことが確実となっている。基準バッフル間隔という用語は、第１のバッフルの領域の中心または幾何学的中心と、隣接する第２のバッフルの領域の中心または幾何学的中心との間の距離を指示している。基準バッフル間隔９０’’は、ドアパネルの全体に渡って等しくなくてもよい。断熱パッド２３８の有効高さ９４’は、断熱パッドの最上点と、断熱パッドの最下点との間の距離である。シート２８および３０に対して垂直でない角度に配置されたバッフル３２６および３２６’と、重なり合った互いに隣接する断熱パッド３３８とがまとまって、ドアパネルを介する熱伝達を抑制し、シート２８または３０上の結露の形成を抑制するか、または、あまつさえ防止する。
【００２７】
[0040]図１４は、任意のエアギャップまたはエアポケットを埋める互いに隣接する断熱パッドを使用することによって（そうでなければ、エアギャップまたはエアポケットが、断熱パッド間に存在してしまう可能性がある）、ドアパネルの全体に渡って（２つの互いに隣接するチャンバが接触する領域においてさえ）、効果的な断熱（ドアパネルの外側の結露を抑制するか、または、あまつさえ防止するのに十分なＲ値）を得る別の例示的なドアパネル４１２を示している。図１４は、例示的なドアパネル４１２を示している。ドアパネル４１２は、ドアパネル３１２と同様であるが、互い隣接する断熱パッド４３８が、舌および溝の接合に類似した仕方で、互いに重なり合うことを可能とするバッフル４２６を含んでいる。この場合、互いに重なり合った断熱パッド４３８は、ドアパネル４１２を介する熱伝達の抑制に役立つ。この例では、バッフル４２６のそれぞれが、シート２８と接合および／または結合された第１の縁部４５２と、シート３０と接合および／または結合された第２の縁部４５４と、縁部４５２および４５４間に延在する中央部８０とを備える。なお、中央部８０の断面は、略Ｕ字形状である。にもかかわらず、バッフル４２６が特定の断面形状を有することは、それほど重要ではない。しかしながら、例によっては、バッフル４２６の有効高さ９４’’は、基準バッフル間隔９０’’’を上回る。基準バッフル間隔という用語は、第１のバッフルの領域の中心または幾何学的中心と、隣接する第２のバッフルの領域の中心または幾何学的中心との間の距離を指示している。基準バッフル間隔９０’は、ドアパネルの全体に渡って等しくなくてもよい。断熱パッド２３８の有効高さ９４は、断熱パッドの最上点と、断熱パッドの最下点との間の距離である。この構成は、バッフル４２６または断熱パッド４３８が、確実に、ドアパネル４１２内の、結露が形成される値までにＲ値が低下した領域の原因とならないようにすることに役立つ。そのようなものとして、Ｖ字形状の断面または曲線の断面形状もまた、有効な断面形状であり得る。
【００２８】
[0041]断熱材のパッド４３８が互いに重なり合うように、断熱パッド４３８が形作られることを、バッフル４２６の断面形状は可能とする。このことはさらに、ドアパネル４１２を介する熱伝達を抑制し、Ｒ値の低いエアギャップが確実に存在しないようにすることに役立つ。図１４は、例えば、第１のパッド４３８の最上部８４が、第２のパッド４３８の最下部８２よりも高い位置にあり、および／または、該最下部８２から離間されており、この場合、第１のパッド４３８が、第２のパッド４３８よりも低い位置にあることを示している。断熱パッド４３８は、多孔質発泡体パッド、ポリエステルマット、または比較的Ｒ値の高い他の可撓性材料から構成されてもよい。
【００２９】
[0042]前述の例のうちの少なくともいくつかは、以下を含む（これに限定されるわけではないが）、１つまたは複数の特徴および／または利点を含む。
【００３０】
[0043]例によっては、ドアパネルは、その間に複数の柔軟なバッフルを有する２つの柔軟なシートから構成される。この場合、バッフルは、パネル内の空気の流れを制限するだけでなく、２つのシート間の垂直方向の相対変形に対応するように、水平方向に伸長している。
【００３１】
[0044]例によっては、バッフルは、パネルがマンドレル上で屈曲するときに２つのシート双方によって挟まれることを可能とするほどに、十分に可撓性であるか、または、柔軟である。
【００３２】
[0045]例によっては、ドアパネルは、全体的な空気チャンバを形成する２つの柔軟な、一般に平行なシートから構成される。さらに、パネルは、全体的な空気チャンバを複数のより小さな、より扱いやすいチャンバに分割する複数のバッフルを含む。
【００３３】
[0046]例によっては、より小さな、より扱いやすいチャンバは、互いに流体連通している。
【００３４】
[0047]例によっては、水平バッフルは、パネルの外側シートの周囲が、互いに容易に接合され得るように、ドアパネルの全幅に渡って延在していない。
【００３５】
[0048]例によっては、水平バッフルは、より小さなチャンバ間の流体連通を縮小するか、または、好ましくは最小化することができる幅に渡って延在している。
【００３６】
[0049]例によっては、下部チャンバ内の空気圧が、ドアが開くときに、一時的に高くなる。
【００３７】
[0050]例によっては、内部バッフルは、製造を容易にするために、および、ドアパネルの内部と外部との間の空気漏れを抑制するか、または、好ましくは最小限に抑えるために、外側シートと縫合されるよりは融合される。
【００３８】
[0051]本明細書では、特定の例示的な方法、装置、および製造物について説明してきたが、本特許の対象範囲は、これらに限定されない。それどころか、本特許は、字義通りにまたは均等論に基づいて添付の特許請求の範囲内に含まれるすべての方法、装置、および製造物を含む。
【図１】
0005637549.tif 000002
【図２】
0005637549.tif 000003
【図３】
0005637549.tif 000004
【図４】
0005637549.tif 000005
【図５】
0005637549.tif 000006
【図６】
0005637549.tif 000007
【図７】
0005637549.tif 000008
【図８】
0005637549.tif 000009
【図９】
0005637549.tif 000010
【図１０】
0005637549.tif 000011
【図１１】
0005637549.tif 000012
【図１２】
0005637549.tif 000013
【図１３】
0005637549.tif 000014
【図１４】
0005637549.tif 000015